Podtech/llm-jp-corpus-v4-ja_patent huggingface dataset:
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
下記の式を有する化合物、その製薬上許容し得る塩またはそのプロドラッグ：
【化１】
2009543795.tif 000001
(式中、点線は、結合の存在または不存在を示し；
Yは、有機酸官能基またはその14個までの炭素原子を含むアミドもしくはエステルであるか；或いは、Yは、ヒドロキシメチルまたはその14個までの炭素原子を含むエーテルであるか；或いは、Yは、テトラゾリル官能基であり；
Aは、-(CH2)6-、シス-CH2CH=CH-(CH2)3-、または-CH2C≡C-(CH2)3-であり、これらにおいて、１個または２個の炭素原子はSまたはOによって置換することができ；或いは、Aは、-(CH2)m-Ar-(CH2)o-であり、Arはインターアリーレンまたはヘテロインターアリーレンであり、mとoの和は1、2、3または4であり、1個のCH2はSまたはOによって置換することができ；
U1は、個々に、水素；OH；O；S；F；Cl；Br；I；CN；または1、2、3、4、5または6個の炭素原子を有するO-アルキルであり；
J1は、水素；F；Cl；Br；I；O；OH；CN；1、2、3、4、5または6個の炭素原子を有するO-アルキル；1、2、3、4、5または6個の炭素原子を有するアルキル；またはCF3であり；
J2は、水素；F；Cl；Br；I；CN；1、2、3、4、5または6個の炭素原子を有するO-アルキル；1、2、3、4、5または6個の炭素原子を有するアルキル；またはCF3であり；
Bは、アリールまたはヘテロアリールである)。
【請求項２】
下記の構造を有するカルボン酸またはそのバイオイソスターである化合物、またはその製薬上許容し得る塩、またはそのプロドラッグ：
【化２】
2009543795.tif 000002
(式中、点線は、結合の存在または不存在を示し；
Aは、-(CH2)6-、シス-CH2CH=CH-(CH2)3-または-CH2C≡C-(CH2)3-であり、これらにおいて、１個または２個の炭素原子はSまたはOによって置換することができ；或いは、Aは、-(CH2)m-Ar-(CH2)o-であり、Arはインターアリーレンまたはヘテロインターアリーレンであり、mとoの和は1、2、3または4であり、1個のCH2はSまたはOによって置換することができ；
U1は、個々に、水素；OH；O；S；F；Cl；Br；I；CN；または1、2、3、4、5または6個の炭素原子を有するO-アルキルであり；
J1は、水素；F；Cl；Br；I；O；OH；CN；1、2、3、4、5または6個の炭素原子を有するO-アルキル；1、2、3、4、5または6個の炭素原子を有するアルキル；またはCF3であり；
J2は、水素；F；Cl；Br；I；CN；1、2、3、4、5または6個の炭素原子を有するO-アルキル；1、2、3、4、5または6個の炭素原子を有するアルキル；またはCF3であり；
Bは、アリールまたはヘテロアリールである)。
【請求項３】
Yが、CO2R2、CON(R2)2、CON(OR2)R2、CON(CH2CH2OH)2、CONH(CH2CH2OH)、CH2OH、P(O)(OH)2、CONHSO2R2、SO2N(R2)2、SO2NHR2、下記：
【化３】
2009543795.tif 000003
(式中、R2は、個々に、H、C1〜C6アルキル、非置換フェニルまたは非置換ビフェニルである)
から選ばれる、請求項１記載の化合物。
【請求項４】
Aが、5-(3-プロピル)チオフェン-2-イル、または6-ヘキシルである、請求項３記載の化合物。
【請求項５】
Bが、フェニルまたはピリジニルである、請求項４記載の化合物。
【請求項６】
Bが、F、Cl、C1-3アルキルおよびC1-3ヒドロキシアルキルから個々に選ばれる1〜5個の置換基を有するフェニルである、請求項４記載の化合物。
【請求項７】
J1が、水素である、請求項６記載の化合物。
【請求項８】
U1が、OHである、請求項７記載の化合物。
【請求項９】
J2が、Clである、請求項８記載の化合物。
【請求項１０】
U1が、OH、F、またはClである、請求項３記載の化合物。
【請求項１１】
J2が、F、Cl、またはOHである、請求項３記載の化合物。
【請求項１２】
下記から選択される構造を有する化合物。
【化４】
2009543795.tif 000004
【請求項１３】
請求項１〜１２のいずれか１項記載の化合物を含む眼内圧の降下用医薬組成物。
【請求項１４】
請求項１〜１２のいずれか１項記載の化合物を含む緑内障の治療用医薬組成物。
【請求項１５】
請求項１〜１２のいずれか１項記載の化合物の、緑内障治療用または眼内圧降下用の医薬品の製造における使用。
【手続補正書】
【提出日】平成22年7月1日(2010.7.1)
【手続補正１】
【補正対象書類名】特許請求の範囲
【補正対象項目名】全文
【補正方法】変更
【補正の内容】
【特許請求の範囲】
【請求項１】
下記の式を有する化合物、その製薬上許容し得る塩またはそのプロドラッグ：
【化１】
2009543792.tif 000001
(式中、点線は、結合の存在または不存在を示し；
Yは、有機酸官能基またはその14個までの炭素原子を含むアミドもしくはエステルであるか；或いは、Yは、ヒドロキシメチルまたはその14個までの炭素原子を含むエーテルであるか；或いは、Yは、テトラゾリル官能基であり；
Aは、-CH2C≡C-(CH2)3-であり、これらにおいて、１個または２個の炭素原子はSまたはOによって置換することができ；或いは、Aは、-(CH2)m-Ar-(CH2)o-であり、Arはインターアリーレンまたはヘテロインターアリーレンであり、mとoの和は1、2、3または4であり、1個のCH2はSまたはOによって置換することができ；
U1は、個々に、水素；OH；O；S；F；Cl；Br；I；CN；または1、2、3、4、5または6個の炭素原子を有するO-アルキルであり；
J1は、水素；F；Cl；Br；I；O；OH；CN；1、2、3、4、5または6個の炭素原子を有するO-アルキル；1、2、3、4、5または6個の炭素原子を有するアルキル；またはCF3であり；
J2は、OまたはOHであり；そして、
Bは、アリールまたはヘテロアリールである)。
【請求項２】
下記の構造を有するカルボン酸またはそのバイオイソスターである化合物、またはその製薬上許容し得る塩、またはそのプロドラッグ：
【化２】
2009543792.tif 000002
(式中、点線は、結合の存在または不存在を示し；
Aは、-(CH2)6-、シス-CH2CH=CH-(CH2)3-または-CH2C≡C-(CH2)3-であり、これらにおいて、１個または２個の炭素原子はSまたはOによって置換することができ；或いは、Aは、-(CH2)m-Ar-(CH2)o-であり、Arはインターアリーレンまたはヘテロインターアリーレンであり、mとoの和は1、2、3または4であり、1個のCH2はSまたはOによって置換することができ；
U1は、個々に、水素；OH；O；S；F；Cl；Br；I；CN；または1、2、3、4、5または6個の炭素原子を有するO-アルキルであり；
J1は、水素；F；Cl；Br；I；O；OH；CN；1、2、3、4、5または6個の炭素原子を有するO-アルキル；1、2、3、4、5または6個の炭素原子を有するアルキル；またはCF3であり；
J2は、OまたはOHであり；そして、
Bは、アリールまたはヘテロアリールである)。
【請求項３】
Yが、CO2R2、CON(R2)2、CON(OR2)R2、CON(CH2CH2OH)2、CONH(CH2CH2OH)、CH2OH、P(O)(OH)2、CONHSO2R2、SO2N(R2)2、SO2NHR2、下記：
【化３】
2009543792.tif 000003
(式中、R2は、個々に、H、C1〜C6アルキル、非置換フェニルまたは非置換ビフェニルである)
から選ばれる、請求項１記載の化合物。
【請求項４】
下記の式を有する請求項１または３記載の化合物、その製薬上許容し得る塩またはそのプロドラッグ：
【化４】
2009543792.tif 000004
【請求項５】
下記の式を有する請求項１または３記載の化合物、その製薬上許容し得る塩またはそのプロドラッグ：
【化５】
2009543792.tif 000005
【請求項６】
下記の式を有する請求項１または３記載の化合物、その製薬上許容し得る塩またはそのプロドラッグ：
【化６】
2009543792.tif 000006
【請求項７】
Aが、-(CH2)m-Ar-(CH2)o-であり；Arがインターアリーレンまたはヘテロインターアリーレンであり、mとoの和が1、2、3または4であり、1個のCH2がSまたはOによって置換されていてもよい、請求項１〜６のいずれか１項記載の化合物。
【請求項８】
Aが、-(CH2)3Ar-、-O(CH2)2Ar-、-CH2OCH2Ar-、-(CH2)2OAr、-O(CH2)2Ar-、-CH2OCH2Ar-または-(CH2)2OArであり；Arが、単環式インターヘテロアリーレンである、請求項７記
載の化合物。
【請求項９】
Arが、インターチエニレン、インターチアゾリレン、またはインターオキサゾリレンである、請求項８記載の化合物。
【請求項１０】
下記の式を有する請求項６記載の化合物、その製薬上許容し得る塩またはそのプロドラッグ：
【化７】
2009543792.tif 000007
【請求項１１】
下記の式を有する請求項６記載の化合物、その製薬上許容し得る塩またはそのプロドラッグ：
【化８】
2009543792.tif 000008
【請求項１２】
Bが、置換または非置換フェニル、または置換若しくは非置換ピリジニルである、請求項１〜１１のいずれか１項記載の化合物。
【請求項１３】
請求項１〜１２のいずれか１項記載の化合物の、哺乳類の緑内障または高眼圧症の治療用医薬品の製造における使用。
【請求項１４】
請求項１〜１２のいずれか１項記載の化合物を含む、緑内障または高眼圧症の治療用医薬組成物。
【請求項１５】
請求項１〜１２のいずれか１項記載の化合物を含み、眼科的に許容し得る液体である組成物。
【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
トリフルオロメタンと他の物質との混合物からトリフルオロメタン量を減少させるプロセスであって、前記混合物と、有効孔径がトリフルオロメタンの少なくとも一部を優先的に吸着するが、その他の物質は吸着しないサイズであるモレキュラーシーブとを接触させることを含む、前記プロセス。
【請求項２】
前記モレキュラーシーブは、その直径がその他の物質の有効分子直径よりも小さい孔径を有する、請求項１に記載のプロセス。
【請求項３】
前記プロセスは、トリフルオロメタンとトリフルオロヨードメタンとの混合物からトリフルオロメタンを分離する、請求項１に記載のプロセス。
【請求項４】
トリフルオロメタンとトリフルオロヨードメタンとの混合物から分離される前記トリフルオロメタンは、トリフルオロヨードメタンを含む冷媒混合物からインサイチューで製造される、請求項３に記載のプロセス。
【請求項５】
混合物から減少したトリフルオロメタン量は、減少後に約１０ｐｐｍ以下のトリフルオロメタンを含む混合物となる量である、請求項１に記載のプロセス。
【手続補正書】
【提出日】平成22年7月8日(2010.7.8)
【手続補正１】
【補正対象書類名】明細書
【補正対象項目名】０００９
【補正方法】変更
【補正の内容】
【０００９】
第８の態様において、本発明は、動物(ヒトを含む)の処置に使用するための、キナーゼ活性、特にFGFR3活性の阻害が疾患の病状および／または症候を予防、阻害または寛解する疾患を処置するための、あるいは、該疾患の処置に有用な医薬組成物の製造に使用するための、式Ｉの化合物、そのＮ−オキシド誘導体、個々の異性体、異性体混合物、またはそれらの薬学的に許容される塩を提供する。
【手続補正２】
【補正対象書類名】明細書
【補正対象項目名】００６１
【補正方法】変更
【補正の内容】
【００６１】
本発明の化合物は、例えば小細胞肺癌における腫瘍阻害物質としてのみではなく、非悪性増殖性障害、例えばアテローム性動脈硬化症、血栓症、乾癬、強皮症および線維症を処置する薬物としても用いられ得る。本発明の化合物はまた、幹細胞の保護のために、例えば化学療法薬(例えば５−フルオロウラシル)の血液毒性効果と戦う薬物としても、また喘息においても有用であり得る。本発明の化合物は、特に、PDGF受容体キナーゼの阻害に応答する疾患の処置に使用され得る。
【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
ダビガトラン、ダビガトランエテキシレート、1-メチル-2-［4-（N-ヒドロキシアミジノ）-フェニルアミノメチル］-ベンズイミダゾール-5-イル-カルボン酸-（N-2-ピリジル-N-2-エトキシカルボニルエチル）-アミド、メラガトラン（イノガトラン）、キシメラガトラン、ヒルジン、ヒロログ及びアルガトロバン、さらにこれらの互変異性体、ラセミ体、エナンチオマー、ジアステレオマー、薬理学的に許容される酸付加塩、溶媒和物、水和物及びプロドラッグから成る群より選択される化合物の、以下から成る群より選択される病気の治療及び／又は予防用の医薬品を調製するための使用：
神経変性病、
脳の毛細血管の病気、
PAR1からPAR4受容体を介して誘導される病気、
トロンビンにより誘発される酸化的ストレス、
血液病、
ヘパリンが誘導する血小板減少症、
ガンの病気、
多剤化学療法における血栓症、
中心静脈血栓症（CVT）、
HIV脳炎、
リューマチ性疾患、
耳鳴り、
腎臓病。
【請求項２】
神経変性病が、アルツハイマー病である請求項１に記載の使用。
【請求項３】
ガンの病気が、肺ガン及び膵臓ガンである、請求項１に記載の使用。
【請求項４】
リューマチ性疾患が、関節リューマチ及び全身性エリテマトーデス（SLE）から成る群より選択される、請求項１に記載の使用。
【請求項５】
腎臓病が、慢性腎臓病患者におけるタンパク尿（尿アルブミン排出）又は糖尿病及びタンパク尿症患者におけるタンパク尿（尿アルブミン排出）である、請求項１に記載の使用。
【請求項６】
病気がVTEに関係する、請求項１から５のいずれか１項に記載の使用。
【請求項７】
化合物が、ダビガトラン、ダビガトランエテキシレート及び1-メチル-2-［4-（N-ヒドロキシアミジノ）-フェニルアミノメチル］-ベンズイミダゾール-5-イル-カルボン酸-（N-2-ピリジル-N-2-エトキシカルボニルエチル）-アミドから成る群より選択される、請求項１から６のいずれか１項に記載の使用。
【請求項８】
化合物が、ダビガトラン及びダビガトランエテキシレート又はこれらの薬理学的に許容される酸付加塩から成る群より選択される、請求項１から７のいずれか１項に記載の使用。
【請求項９】
化合物が、ダビガトランエテキシレート又はその薬理学的に許容される酸付加塩である、請求項１から８のいずれか１項に記載の使用。
【請求項１０】
化合物が、ダビガトランエテキシレートとメタンスルホン酸の酸付加塩である、請求項１から９のいずれか１項に記載の使用。
【請求項１１】
化合物が、1日あたり0.1mgから600mgの投与範囲で適用される、請求項１から１０のいずれか１項に記載の使用。
【請求項１２】
以下から成る群より選択される病気の治療及び／又は予防のための医薬組成物であって、ダビガトラン、ダビガトランエテキシレート、1-メチル-2-［4-（N-ヒドロキシアミジノ）-フェニルアミノメチル］-ベンズイミダゾール-5-イル-カルボン酸-（N-2-ピリジル-N-2-エトキシカルボニルエチル）-アミド、メラガトラン（イノガトラン）、キシメラガトラン、ヒルジン、ヒロログ及びアルガトロバン、さらにこれらの互変異性体、ラセミ体、エナンチオマー、ジアステレオマー、薬理学的に許容される酸付加塩、溶媒和物、水和物及びプロドラッグから成る群より選択される化合物の治療効量を含む前記組成物；
神経変性病、
脳の毛細血管の病気、
PAR1からPAR4受容体を介して誘導される病気、
トロンビンにより誘発される酸化的ストレス、
血液病、
ヘパリンが誘導する血小板減少症、
ガンの病気、
多剤化学療法における血栓症、
中心静脈血栓症（CVT）、
HIV脳炎、
リューマチ性疾患、
耳鳴り、
腎臓病。
【請求項１３】
神経変性病がアルツハイマー病である、請求項１２に記載の医薬組成物。
【請求項１４】
リューマチ性疾患が、関節リューマチ及び全身性エリテマトーデス（SLE）から成る群より選択される、請求項１２に記載の医薬組成物。
【請求項１５】
ガンの病気が、肺ガン及び膵臓ガンから成る群より選択される、請求項１２に記載の医薬組成物。
【請求項１６】
腎臓病が、慢性腎臓病患者におけるタンパク尿（尿アルブミン排出）又は糖尿病及びタンパク尿症患者におけるタンパク尿（尿アルブミン排出）である、請求項１２に記載の医薬組成物。
【請求項１７】
病気がVTEに関係する、請求項１２から１６のいずれか１項に記載の医薬組成物。
【請求項１８】
化合物が、ダビガトラン、ダビガトランエテキシレート及び1-メチル-2-［4-（N-ヒドロキシアミジノ）-フェニルアミノメチル］-ベンズイミダゾール-5-イル-カルボン酸-（N-2-ピリジル-N-2-エトキシカルボニルエチル）-アミドから成る群より選択される、請求項１２から１７のいずれか１項に記載の医薬組成物。
【請求項１９】
化合物が、ダビガトラン及びダビガトランエテキシレート又はこれらの薬理学的に許容される酸付加塩から成る群より選択される、請求項１２から１８のいずれか１項に記載の医薬組成物。
【請求項２０】
化合物が、ダビガトランエテキシレート又はその薬理学的に許容される酸付加塩である、請求項１２から１９のいずれか１項に記載の医薬組成物。
【請求項２１】
化合物が、ダビガトランエテキシレートとメタンスルホン酸の酸付加塩である、請求項１２から２０のいずれか１項に記載の医薬組成物。
【請求項２２】
化合物が、1日あたり0.1mgから600mgの投与範囲で適用される、請求項１２から２１のいずれか１項に記載の医薬組成物。
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
ダビガトラン、ダビガトランエテキシラート、1-メチル-2-[4-(N-ヒドロキシアミジノ)-フェニルアミノメチル]-ベンゾイミダゾール-5-イル-カルボン酸-(N-2-ピリジル-N-2-エトキシカルボニルエチル)-アミド、メラガトラン（イノガトラン）、キシメラガトラン、ヒルジン、ヒロログ及びアルガトロバンからなる群より選ばれる化合物であって、その互変異性体、ラセミ化合物、鏡像異性体、ジアステレオマー、薬理学的に許容される酸付加塩、溶媒和物、水和物又はプロドラッグの形態であってもよい化合物の、以下からなる群より選ばれる病気の子供の治療及び/又は予防のための薬剤を調製するための使用：
非出血性脳卒中、
心臓の非常に低い駆出率の子供の一次及び二次脳卒中防止；
急性脳卒中、急性冠症候群（ACS）；
心筋梗塞；
高心血管系リスク；
先天性心疾患；
人工心臓弁；
不整脈；
心不全；
肥大性閉塞性心筋症（HOCM）；
真性糖尿病；
末梢動脈疾患（PAD）；
脳微細血管疾患；
肺梗塞；
オフポンプ冠動脈バイパス移植術；
シャント血栓症；
カテーテル血栓症；
透析装置における血栓塞栓事象；
肺塞栓症（PE）；
診療中の子供（固定された子供）；
癌；
妊婦の脳卒中、
妊婦の心不全（高リスク妊婦）、
妊婦の先天性凝固能亢進性疾患、
妊婦の溶血、高肝臓酵素及び低血小板（HELLP）症候群；
神経変性疾患、
脳微細血管疾患、
PAR1〜PAR4受容体によって媒介される疾患、
トロンビンによって誘導される酸化性ストレス、
血液病、
ヘパリン起因性血小板減少症、
多剤化学療法における血栓症、
中心静脈血栓症（CVT）、
HIV脳炎、
リウマチ様障害、
耳鳴及び
腎疾患。
【請求項２】
前記病気がVTEと付随している、請求項１記載の使用。
【請求項３】
前記化合物がダビガトラン、ダビガトランエテキシラート及び1-メチル-2-[4-(N-ヒドロキシアミジノ)-フェニルアミノメチル]-ベンゾイミダゾール-5-イル-カルボン酸-(N-2-ピリジル-N-2-エトキシカルボニルエチル)-アミドからなる群より選ばれる、請求項１又は２記載の使用。
【請求項４】
前記化合物がダビガトラン及びダビガトランエテキシラート又はその薬理学的に許容される酸付加塩からなる群より選ばれる、請求項１〜３のいずれか１項記載の使用。
【請求項５】
前記化合物がダビガトランエテキシラート又はその薬理学的に許容される酸付加塩である、請求項１〜４のいずれか１項記載の使用。
【請求項６】
前記化合物がダビガトランエテキシラートのメタンスルホン酸との酸付加塩である、請求項１〜５のいずれか１項記載の使用。
【請求項７】
前記化合物が１日当り0.1〜600mgの範囲の投与量で適用される、請求項１〜６のいずれか１項記載の使用。
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
（Ｅ）−Ｎ−｛３−［１−（８−クロロ−１１Ｈ−１０−オキサ−１−アザ−ジベンゾ［ａ，ｄ］シクロヘプテン−５−イリデン）−プロピル］−フェニル｝−メタンスルホンアミド、またはその薬理学的に許容できる塩である化合物。
【請求項２】
（Ｅ）−Ｎ−｛３−［１−（８−クロロ−１１Ｈ−１０−オキサ−１−アザ−ジベンゾ［ａ，ｄ］シクロヘプテン−５−イリデン）−プロピル］−フェニル｝−メタンスルホンアミドである、請求項１に記載の化合物。
【請求項３】
（Ｅ）−Ｎ−｛３−［１−（８−クロロ−１１Ｈ−１０−オキサ−１−アザ−ジベンゾ［ａ，ｄ］シクロヘプテン−５−イリデン）−プロピル］−フェニル｝−メタンスルホンアミド・ＨＢｒ、（Ｅ）−Ｎ−｛３−［１−（８−クロロ−１１Ｈ−１０−オキサ−１−アザ−ジベンゾ［ａ，ｄ］シクロヘプテン−５−イリデン）−プロピル］−フェニル｝−メタンスルホンアミド・ＨＣｌ、または（Ｅ）−Ｎ−｛３−［１−（８−クロロ−１１Ｈ−１０−オキサ−１−アザ−ジベンゾ［ａ，ｄ］シクロヘプテン−５−イリデン）−プロピル］−フェニル｝−メタンスルホンアミド・Ｈ２ＳＯ４（２：１）である、請求項１に記載の塩。
【請求項４】
関節リウマチ、変形性関節症、リウマチ熱、ぜんそく、アレルギー性鼻炎、全身性エリテマトーデス、慢性閉塞性肺疾患、クローン病、炎症性腸疾患、もしくは潰瘍性大腸炎の治療のための医薬の製造のための、請求項１から請求項３のいずれか１項に記載の化合物または塩の使用。
【請求項５】
関節リウマチの治療のための請求項４に記載の使用。
【請求項６】
１つ以上の薬理学的に許容できる担体、賦形剤、もしくは希釈剤と組合せて請求項１から請求項３のいずれか１項に記載の化合物または塩を含む、医薬組成物。
【請求項７】
１つ以上の薬理学的に許容できる担体、賦形剤、もしくは希釈剤と組合せて請求項１から請求項３のいずれか１項に記載の化合物または塩を含む、関節リウマチの治療用の医薬組成物。
【請求項８】
治療用の請求項１から請求項３のいずれか１項に記載の化合物または塩。
【請求項９】
関節リウマチの治療における使用のための請求項１から請求項３のいずれか１項に記載の化合物または塩。
【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
医薬的に許容され得るキャリアと、有効成分として、第２の化学的成分に共有結合により連結される第１の化学的成分を含む化学的コンジュゲートとを含む医薬組成物を、疼痛の治療における使用のために、包装材に詰められ、包装材の中または表面において印刷により特定されて含む製造物であって、前記第１の化学的成分が、向精神性薬物およびＧＡＢＡアゴニストからなる群から選択され、さらには、前記第２の化学的成分が有機酸であり、前記有機酸は、向精神性薬物がそれ自体で投与されるときの向精神性薬物により誘導される治療効果を高めるように選択される、製造物。
【請求項２】
医薬的に許容され得るキャリアと、有効成分として、第２の化学的成分に共有結合により連結される第１の化学的成分を含む化学的コンジュゲートとを含む医薬組成物を、嗜癖障害の治療における使用のために、包装材に詰められ、包装材の中または表面において印刷により特定されて含む製造物であって、前記第１の化学的成分が、向精神性薬物およびＧＡＢＡアゴニストからなる群から選択され、さらには、前記第２の化学的成分が有機酸であり、前記有機酸は、向精神性薬物がそれ自体で投与されるときの向精神性薬物により誘導される治療効果を高めるように選択される、製造物。
【請求項３】
前記第１の化学的成分が、抗うつ剤、抗てんかん薬物、およびＧＡＢＡアゴニストからなる群から選択され、さらには、前記第２の化学的成分がＧＡＢＡおよびＲ−Ｃ（＝Ｏ）−（式中、Ｒは、３個〜５個の炭素原子を有するアルキルである）からなる群から選択される、請求項１または２に記載の製造物。
【請求項４】
前記第２の成分はさらに、それ自体で投与されるときの前記向精神性薬物または前記ＧＡＢＡアゴニストにより誘導される有害な副作用を軽減するように選択される、請求項１〜３のいずれかに記載の製造物。
【請求項５】
前記第２の化学的成分はＧＡＢＡアゴニストである、請求項１〜３のいずれかに記載の製造物。
【請求項６】
前記第２の化学的成分は、カルボン酸エステル結合、アルキルオキシカルボン酸エステル結合、アミド結合、イミン結合およびチオエステル結合からなる群から選択される結合により前記第１の化学的成分に共有結合により連結される、請求項１〜３のいずれかに記載の製造物。
【請求項７】
前記向精神性薬物は抗うつ剤または抗てんかん薬物である、請求項１〜３のいずれかに記載の製造物。
【請求項８】
前記第２の化学的成分はＧＡＢＡアゴニストである、請求項７に記載の製造物。
【請求項９】
前記向精神性薬物は、ノルトリプチリン、フルオキセチンおよびバルプロ酸からなる群から選択される、請求項１〜３のいずれかに記載の製造物。
【請求項１０】
前記第１の化学的成分はＧＡＢＡアゴニストである、請求項１〜３のいずれかに記載の製造物。
【請求項１１】
前記第２の化学的成分はＧＡＢＡである、請求項９または１０に記載の製造物。
【請求項１２】
前記化学的コンジュゲートは、ＧＡＢＡオキシメチルＧＡＢＡ、ＧＡＢＡオキシメチルバルプロエート、フルオキセチン−ＧＡＢＡ、およびノルトリプチリン−ＧＡＢＡからなる群から選択される、請求項１〜３のいずれかに記載の製造物。
【請求項１３】
前記疼痛は慢性疼痛である、請求項１，３〜１２のいずれかに記載の製造物。
【請求項１４】
前記慢性痛は神経障害性の疼痛または侵害受容性の疼痛である、請求項１３に記載の製造物。
【請求項１５】
前記疼痛は急性疼痛である、請求項１，３〜１２のいずれかに記載の製造物。
【請求項１６】
前記嗜癖障害はアルコール依存症または喫煙である、請求項２〜１２のいずれかに記載の製造物。
【請求項１７】
第２の化学的成分に共有結合により連結される第１の化学的成分を含み、前記化学的成分のそれぞれが独立してＧＡＢＡアゴニストである、化学的コンジュゲート。
【請求項１８】
前記ＧＡＢＡアゴニストは、カルボン酸エステル結合、アルキルオキシカルボン酸エステル結合、アミド結合、イミン結合およびチオエステル結合からなる群から選択される結合により両者間が共有結合により連結される、請求項１７に記載の化学的コンジュゲート。
【請求項１９】
前記結合はアルキルオキシカルボン酸エステル結合である、請求項１８に記載の化学的コンジュゲート。
【請求項２０】
前記ＧＡＢＡアゴニストのそれぞれがγ−アミノ酪酸（ＧＡＢＡ）である、請求項１７に記載の化学的コンジュゲート。
【請求項２１】
請求項１７に記載の化学的コンジュゲートを有効成分として含み、かつ、医薬的に許容され得るキャリアを含む医薬組成物。
【請求項２２】
ＣＮＳ疾患またはＣＮＳ障害の治療における使用のために、包装材に詰められ、前記包装材の中または表面において印刷により特定される、請求項２１に記載の医薬組成物。
【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
シロツメクサの生長を調節又は改変するための方法であって、
前記シロツメクサの位置に、除草有効量の、メソトリオン及びピリジン除草剤の混合物を含む除草用組成物を施用するステップ、
を含む方法。
【請求項２】
前記ピリジン除草剤が、ジチオピル、トリクロピル、フルロキシピル及びチアゾピルから成る群から選択される、請求項１に記載の方法。
【請求項３】
前記シロツメクサが、芝草内に存在する、請求項１又は２に記載の方法。
【請求項４】
前記組成物を、（ｉ）発芽前又は（ｉｉ）発芽後に施用する、請求項１〜３のいずれか一項に記載の方法。
【請求項５】
雑草の位置に施用される、メソトリオン及びピリジン除草剤の併用量が、約０．００５ｋｇ／ｈａ〜約５ｋｇ／ｈａである、請求項１〜４のいずれか一項に記載の方法。
【請求項６】
前記雑草の位置に施用される、メソトリオン及びピリジン除草剤の併用量が、約０．０５ｋｇ／ｈａ〜約２ｋｇ／ｈａである、請求項５に記載の方法。
【請求項７】
前記雑草の位置に施用される、メソトリオン及びピリジン除草剤の併用量が、約０．１ｋｇ／ｈａ〜約０．５ｋｇ／ｈａである、請求項６に記載の方法。
【請求項８】
シロツメクサの生長を調節又は改変するための、除草有効量の、メソトリオン及びピリジン除草剤の混合物を含む除草用組成物の使用。
【請求項９】
コメツブウマゴヤシの生長を調節又は改変するための方法であって、
前記コメツブウマゴヤシの位置に、除草有効量の、メソトリオンとトリクロピル又はフルロキシピルとの混合物を含む除草用組成物を施用するステップ、
を含む方法。
【請求項１０】
前記コメツブウマゴヤシが、芝草内に存在する、請求項９に記載の方法。
【請求項１１】
前記組成物を、（ｉ）発芽前又は（ｉｉ）発芽後に施用する、請求項９又は１０に記載の方法。
【請求項１２】
雑草の位置に施用される、メソトリオンとトリクロピル又はフルロキシピルとの併用量が、約０．００５ｋｇ／ｈａ〜約５ｋｇ／ｈａである、請求項９〜１１のいずれか一項に記載の方法。
【請求項１３】
前記雑草の位置に施用される、メソトリオンとトリクロピル又はフルロキシピルとの併用量が、約０．０５ｋｇ／ｈａ〜約２ｋｇ／ｈａである、請求項１２に記載の方法。
【請求項１４】
前記雑草の位置に施用される、メソトリオンとトリクロピル又はフルロキシピルとの併用量が、約０．１ｋｇ／ｈａ〜約０．５ｋｇ／ｈａである、請求項１３に記載の方法。
【請求項１５】
コメツブウマゴヤシの生長を調節又は改変するための、除草有効量の、メソトリオンとトリクロピル又はフルロキシピルとの混合物を含む除草用組成物の使用。
【請求項１６】
グースグラスの生長を調節又は改変するための方法であって、
前記グースグラスの位置に、除草有効量の、メソトリオン及びフルロキシピルの混合物を含む除草用組成物を施用するステップ、
を含む方法。
【請求項１７】
前記グースグラスが、芝草内に存在する、請求項１６に記載の方法。
【請求項１８】
前記組成物を、発芽後に施用する、請求項１６又は１７に記載の方法。
【請求項１９】
雑草の位置に施用される、メソトリオン及びトリクロピルの併用量が、約０．００５ｋｇ／ｈａ〜約５ｋｇ／ｈａである、請求項１６〜１８のいずれか一項に記載の方法。
【請求項２０】
前記雑草の位置に施用される、メソトリオン及びトリクロピルの併用量が、約０．０５ｋｇ／ｈａ〜約２ｋｇ／ｈａである、請求項１９に記載の方法。
【請求項２１】
前記雑草の位置に施用される、メソトリオン及びトリクロピルの併用量が、約０．１ｋｇ／ｈａ〜約０．５ｋｇ／ｈａである、請求項２０に記載の方法。
【請求項２２】
グースグラスの生長を調節又は改変するための、除草有効量の、メソトリオン及びトリクロピルの混合物を含む除草用組成物の使用。
【請求項２３】
除草有効量の、メソトリオン及びジチオピルの混合物を含む除草用組成物。
【請求項２４】
除草有効量の、メソトリオン及びトリクロピルの混合物を含む除草用組成物。
【請求項２５】
除草有効量の、メソトリオン及びチアゾピルの混合物を含む除草用組成物。
【請求項２６】
前記メソトリオンが、キレート化形態にある、請求項２３〜２５のいずれか一項に記載の組成物。
【請求項２７】
メソトリオンの銅キレートが用いられている、請求項２６に記載の組成物。
【請求項２８】
メソトリオン：ジチオピル、トリクロピル又はチアゾピルの重量比が、約１：１０〜約１０：１である、請求項２３〜２７のいずれか一項に記載の組成物。
【請求項２９】
メソトリオン：ジチオピル、トリクロピル又はチアゾピルの重量比が、約１：５〜約５：１である、請求項２８に記載の組成物。
【請求項３０】
メソトリオン：ジチオピル、トリクロピル又はチアゾピルの重量比が、約１：２〜約２：１である、請求項２９に記載の組成物。
【請求項３１】
前記混合物が、肥料顆粒内に含浸されているか、又は肥料顆粒上にコーティングされている、請求項２３〜３０のいずれか一項に記載の組成物。
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
治療上有効量のイミキモドと脂肪酸とを含む、泡状医薬製剤。
【請求項２】
イミキモドが、前記製剤の全質量に基づき少なくとも1質量％の量で存在する、請求項１記載の泡状医薬製剤。
【請求項３】
イミキモドが、前記製剤の全質量に基づき少なくとも3質量％の量で存在する、請求項１記載の泡状医薬製剤。
【請求項４】
イミキモドが、前記製剤の全質量に基づき少なくとも5質量％の量で存在する、請求項１記載の泡状医薬製剤。
【請求項５】
イミキモドが、前記製剤の全質量に基づき最大6質量％の量で存在する、請求項１記載の泡状医薬製剤。
【請求項６】
脂肪酸が、前記製剤の全質量に基づき少なくとも5質量％の量で存在する、請求項１〜５のいずれか１項記載の泡状医薬製剤。
【請求項７】
脂肪酸が、前記製剤の全質量に基づき少なくとも20質量％の量で存在する、請求項１〜６のいずれか１項記載の泡状医薬製剤。
【請求項８】
脂肪酸が、前記製剤の全質量に基づき最大30質量％の量で存在する、請求項１〜７のいずれか１項記載の泡状医薬製剤。
【請求項９】
脂肪酸がイソステアリン酸、オレイン酸およびそれらの混合物からなる群より選択される、請求項１〜８のいずれか１項記載の泡状医薬製剤。
【請求項１０】
脂肪酸がイソステアリン酸である、請求項９記載の泡状医薬製剤。
【請求項１１】
噴霧剤をさらに含む、請求項１〜１０のいずれか１項記載の泡状医薬製剤。
【請求項１２】
噴霧剤が、前記製剤の全質量に基づき少なくとも5質量％の量で存在する、請求項１１記載の泡状医薬製剤。
【請求項１３】
噴霧剤が、前記製剤の全質量に基づき少なくとも10質量％の量で存在する、請求項１１記載の泡状医薬製剤。
【請求項１４】
噴霧剤が、前記製剤の全質量に基づき少なくとも15質量％の量で存在する、請求項１１記載の泡状医薬製剤。
【請求項１５】
噴霧剤が炭化水素である、請求項１１〜１４のいずれか１項記載の泡状医薬製剤。
【請求項１６】
炭化水素がプロパン、ブタンおよびそれらの混合物からなる群より選択される、請求項１５記載の泡状医薬製剤。
【請求項１７】
水をさらに含む、請求項１〜１６のいずれか１項記載の泡状医薬製剤。
【請求項１８】
防腐系をさらに含む、請求項１〜１７のいずれか１項記載の泡状医薬製剤。
【請求項１９】
防腐系が、前記製剤の全質量に基づき少なくとも0.1質量％の量で存在する、請求項１８記載の泡状医薬製剤。
【請求項２０】
防腐系が、前記製剤の全質量に基づき最大3質量％の量で存在する、請求項１７記載の泡状医薬製剤。
【請求項２１】
防腐系がメチルパラベン、プロピルパラベン、ベンジルアルコールまたはそれらの混合物を含む、請求項１８〜２０のいずれか１項記載の泡状医薬製剤。
【請求項２２】
乳化剤をさらに含む、請求項１〜２１のいずれか１項記載の泡状医薬製剤。
【請求項２３】
乳化剤が、前記製剤の全質量に基づき少なくとも0.5質量％の量で存在する、請求項２２記載の泡状医薬製剤。
【請求項２４】
乳化剤が、前記製剤の全質量に基づき最大5質量％の量で存在する、請求項２２記載の泡状医薬製剤。
【請求項２５】
乳化剤がポリソルベート60、ソルビタンモノステアレートおよびそれらの混合物からなる群より選択される、請求項２２〜２４のいずれか１項記載の泡状医薬製剤。
【請求項２６】
粘度増強剤をさらに含む、請求項１〜２５のいずれか１項記載の泡状医薬製剤。
【請求項２７】
粘度増強剤が、前記製剤の全質量に基づき少なくとも0.5質量％の量で存在する、請求項２６記載の泡状医薬製剤。
【請求項２８】
粘度増強剤が、前記製剤の全質量に基づき少なくとも1質量％の量で存在する、請求項２６記載の泡状医薬製剤。
【請求項２９】
粘度増強剤が、前記製剤の全質量に基づき最大6質量％の量で存在する、請求項２６記載の泡状医薬製剤。
【請求項３０】
粘度増強剤がセチルアルコール、ステアリルアルコール、キタンサンガムおよびそれらの混合物からなる群より選択される、請求項２６〜２９のいずれか１項記載の泡状医薬製剤。
【請求項３１】
皮膚軟化剤をさらに含む、請求項１〜３０のいずれか１項記載の泡状医薬製剤。
【請求項３２】
湿潤剤をさらに含む、請求項１〜３１のいずれか１項記載の泡状医薬製剤。
【請求項３３】
前記製剤が水中油型乳剤である、請求項１７〜３２のいずれか１項記載の泡状医薬製剤。
【請求項３４】
エーロゾルバイアル内に封入された請求項１〜３３のいずれか１項記載の製剤を含む、包装製剤。
【請求項３５】
エーロゾルバイアルが絞り弁を備えている、請求項３４記載の包装製剤。
【請求項３６】
光線性角化症を治療するための医薬組成物であって、治療上有効量のイミキモドと脂肪酸とを含むことを特徴とする医薬組成物。
【請求項３７】
基底細胞癌を治療するための医薬組成物であって、治療上有効量のイミキモドと脂肪酸とを含むことを特徴とする医薬組成物。
【請求項３８】
肛門生殖器疣贅を治療するための医薬組成物であって、治療上有効量のイミキモドと脂肪酸とを含むことを特徴とする医薬組成物。
【請求項３９】
インターフェロンの生合成を誘導するための医薬組成物であって、治療上有効量のイミキモドと脂肪酸とを含むことを特徴とする医薬組成物。
【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
式１
【化１】
2009543861.tif 000001
（式中、Ｒ１は、Ｈ、Ｃ１〜Ｃ４アルキル、シクロプロピル、シクロプロピルメチルまたはメチルシクロプロピルであり、
Ｒ２は、ＣＨ３またはＣｌであり、そして
Ｘは、ＣｌまたはＢｒである）
の化合物を製造する方法であって、カルボン酸の存在下で、式２
【化２】
2009543861.tif 000002
の化合物を式３
【化３】
2009543861.tif 000003
の化合物と接触させることを含む方法。
【請求項２】
式２の化合物とカルボン酸とを含む混合物に式３の化合物を添加する請求項１に記載の方法。
【請求項３】
式４
【化４】
2009543861.tif 000004
（式中、Ｒ３は、３個までのハロゲンおよび１個までのフェニルによってそれぞれ場合により置換されるＣ１〜Ｃ６アルキルまたはＣ３〜Ｃ６アルケニルである）
の化合物を三臭化リンと接触させることによって式２の化合物を製造する請求項１に記載の方法。
【請求項４】
Ｒ１がＣＨ３であり、Ｒ２がＣＨ３であり、ＸがＣｌである請求項１に記載の方法。
【請求項５】
式２
【化５】
2009543861.tif 000005
（式中、Ｒ２はＣＨ３またはＣｌであり、ＸはＣｌまたはＢｒである）の化合物を製造する方法であって、式４
【化６】
2009543861.tif 000006
（式中、Ｒ３は、３個までのハロゲンおよび１個までのフェニルによってそれぞれ場合により置換されるＣ１〜Ｃ６アルキルまたはＣ３〜Ｃ６アルケニルである）の化合物を三臭
化リンと接触させることを含む方法。
【請求項６】
Ｒ２がＣＨ３であり、ＸがＣｌである請求項５に記載の方法。
【請求項７】
式５
【化７】
2009543861.tif 000007
（式中、ＸはＣｌまたはＢｒであり、
ＺはＣＲ７またはＮであり、
Ｒ１はＨ、Ｃ１〜Ｃ４アルキル、シクロプロピル、シクロプロピルメチルまたはメチルシクロプロピルであり、
Ｒ２はＣＨ３またはＣｌであり、
Ｒ４はＣｌ、Ｂｒ、ＣＦ３、ＯＣＦ２ＨまたはＯＣＨ２ＣＦ３であり、
Ｒ５はＦ、ＣｌまたはＢｒであり、
Ｒ６はＨ、ＦまたはＣｌであり、そして
Ｒ７はＨ、Ｆ、ＣｌまたはＢｒである）の化合物を、式１
【化８】
2009543861.tif 000008
の化合物を使用して製造する方法であって、請求項１に記載の方法によって上記式１の化合物を製造することを特徴とする方法。
【請求項８】
Ｒ１がＣＨ３であり、Ｒ２がＣＨ３であり、Ｒ４がＢｒであり、Ｒ５がＣｌであり、Ｒ６がＨであり、ＸがＣｌであり、ＺがＮである請求項７に記載の方法。
【請求項９】
式４
【化９】
2009543861.tif 000009
（式中、Ｒ２はＣＨ３またはＣｌであり、
Ｒ３は、３個までのハロゲンおよび１個までのフェニルによってそれぞれ場合により置換されていてもよいＣ１〜Ｃ６アルキルまたはＣ３〜Ｃ６アルケニルであり、
ＸがＣｌまたはＢｒであるが、
ただし、Ｒ２およびＸがそれぞれＣｌである場合、Ｒ３はＣＨ３以外である）
の化合物。
【請求項１０】
Ｒ２がＣＨ３であり、Ｒ３がＣ１〜Ｃ２アルキルであり、そしてＸがＣｌである請求項９に記載の化合物。
【請求項１１】
Ｒ２がＣＨ３であり、Ｒ３がＣ１〜Ｃ２アルキルであり、そしてＸがＢｒである請求項９に記載の化合物。
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
対象の検体を試験するための試料を調製する方法であって、
ソース及び希釈剤を含む液体組成物を提供する工程と、
自立型容器を含む試料調製システムを提供する工程と、
該自立型容器により画定されるリザーバに該液体組成物を配置する工程と、
該液体組成物をろ過してろ液を形成する工程と、
該ろ液の少なくとも一部分を該試料調製システムから取り出して試料を形成する工程と、
該対象の検体について該試料を分析する工程と、を含む、方法。
【請求項２】
対象の検体を試験するための試料を調製する方法であって、
ソース及び希釈剤を含む液体組成物を提供する工程と、
変形可能な自立型ライナー、及び該変形可能な自立型ライナーよりも硬質な自立型容器を含む試料調製システムを提供する工程と、
該液体組成物を該変形可能な自立型ライナーにより画定されるリザーバ内に配置する工程と、
該変形可能な自立型ライナーを該自立型容器内に配置する工程と、
試料を該試料調製システムから取り出す工程と、
該対象の検体について該試料を分析する工程と、を含む、方法。
【請求項３】
対象の検体を試験するよう構成された試料調製システムであって、
第１のリザーバを含む変形可能な自立型ライナーと、
第２のリザーバを含む自立型容器であって、該自立型容器は該変形可能な自立型ライナーよりも硬質であり、該第２のリザーバは該変形可能な自立型ライナーを収容する寸法である、自立型容器と、
ソース及び希釈剤を含む液体組成物であって、該第１のリザーバ内に配置されている液体組成物と、
該第１のリザーバ及び該第２のリザーバの少なくとも一方と液体連通するよう配置された開口であって、該第１のリザーバから試料を取り出すことが可能なように構成された開口と、を含む試料調製システム。
【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
オブジェクトの温度に関するパラメータを検出するために、前記オブジェクトに固定するように構成された温度センサであって、
印加された交流磁場の影響に基づく再磁化応答を有し、磁力によって影響されやすいセンサ要素を含む少なくとも１つのセンサ要素と、
前記センサ要素が前記オブジェクトの前記パラメータを検出できるように、前記センサ要素を基板に固定し、かつ前記温度センサを前記オブジェクトに固定するように使用可能である接着剤と、を有し、
前記再磁化応答は、所定期間の磁場摂動の少なくとも１つの短い検出可能なパルスによって定義され、４００℃よりも低温の少なくとも１つの設定温度より低い温度とより高い温度とで異なるものである温度センサ。
【請求項２】
前記パラメータは、前記オブジェクトの温度、前記オブジェクトの所望の温度、前記オブジェクトの温度範囲、前記オブジェクトの所望の温度範囲、前記オブジェクトの最低温度、前記オブジェクトの最高温度、前記オブジェクトの加熱特性、および、前記オブジェクト上で支えられる材料の温度よりなる群から選択される請求項１に記載の温度センサ。
【請求項３】
前記少なくとも１つのセンサ要素は、複数の前記センサ要素であり、その中の少なくともあるセンサ要素は、その他のセンサ要素と異なる設定温度を有する請求項１または２に記載の温度センサ。
【請求項４】
前記センサ要素は、前記設定温度よりも低い温度範囲にわたって計測可能に変化する温度依存性の再磁化応答を有する請求項１〜３のいずれか１項に記載の温度センサ。
【請求項５】
前記センサ要素は、１００μｍ以下の最大横断面寸法を持つ、細長いワイヤ状または薄い帯状の、非結晶質またはナノ結晶の金属ボディーを含み、
該金属ボディーは、Ｆｅベースの合金、Ｃｏベースの合金、および、それらの混合物よりなる群から選択される少なくとも１種の合金で形成され、該少なくとも１種の合金は、クロムを含有する請求項１〜４のいずれか１項に記載の温度センサ。
【請求項６】
前記センサ要素は、金属ボディーを含み、該金属ボディーは、１０Ａ／ｍ未満の飽和保磁力、２０，０００よりも高い相対透磁率、実質的にゼロの磁気歪、および、バルクハウゼン不連続性を有する請求項１〜５のいずれか１項に記載の温度センサ。
【請求項７】
オブジェクトの温度に関するパラメータを検出する方法であって、
再磁化可能な温度センサを前記オブジェクトに接着する工程と、
前記温度センサの領域内で交流磁場を発生する工程と、
前記温度センサの再磁化応答を検出し、前記検出された再磁化応答を使用して、前記オブジェクトの前記温度に関する前記パラメータが、設定温度より高いか低いかについて、少なくとも部分的に決定する工程と、を含む検出方法。
【請求項８】
前記パラメータは、前記オブジェクトの温度、前記オブジェクトの所望の温度、前記オブジェクトの温度範囲、前記オブジェクトの所望の温度範囲、前記オブジェクトの最低温度、前記オブジェクトの最高温度、前記オブジェクトの加熱特性、および、前記オブジェクト上で支えられる材料の温度よりなる群から選択される請求項７に記載の検出方法。
【請求項９】
前記温度センサは、磁力によって影響されやすい複数のセンサ要素を有し、それぞれのセンサ要素は、印加された交流磁場の影響に基づく異なる再磁化応答を有し、それぞれの再磁化応答は、異なる設定温度よりも低い温度で異なり、
前記検出方法は、さらに、前記オブジェクトの前記温度に関する前記パラメータを決定するために、前記異なる再磁化応答を使用する工程を含む請求項７または８に記載の検出方法。
【請求項１０】
前記設定温度よりも低い温度範囲にわたる温度依存性の再磁化応答は、前記温度範囲にわたって前記センサ要素の温度を検出するのに使用される請求項７〜９のいずれか１項に記載の検出方法。
【請求項１１】
オブジェクトを加熱するシステムであって、
少なくとも１つのセンサ要素と、該センサ要素を前記オブジェクトに固定するための接着剤と、を備え、前記オブジェクトに接着固定されるように構成され、前記オブジェクトの温度を検出するように動作可能である温度センサと、
前記オブジェクトを加熱するための加熱装置と、
前記センサ要素の再磁化応答を検出するために、交流磁場を発生し、かつ、前記検出された再磁化応答に関連した出力信号を発生するように動作可能であるリーダ／ディテクタと、
前記リーダ／ディテクタと前記加熱装置とに接続され、前記出力信号を受信し、かつ、前記出力信号に対応して前記加熱装置の動作を制御するように動作可能であるコントローラと、を含む加熱システム。
【請求項１２】
前記加熱装置は、インダクションヒータ、ヒートランプアセンブリ、スチームテーブル、および、電子レンジよりなる群から選択される請求項１１に記載の加熱システム。
【手続補正書】
【提出日】平成22年2月4日(2010.2.4)
【手続補正１】
【補正対象書類名】明細書
【補正対象項目名】０００７
【補正方法】変更
【補正の内容】
【０００７】
本発明の実施例によれば、支点まわりに旋回するように配置された方向指針と、前記方向指針に設けられ、流体の流れと相互に作用し合うことができる矢羽とから構成され、前記矢羽は、前記方向指針の長手方向軸と平行な方向の流体の流れに対して抵抗する抵抗部を有し、前記抵抗部は、前記方向指針を前記支点まわりに旋回させるのに本質的に有効であり、それにより前記矢羽を前記流体の流れ方向に一致させることができ、前記矢羽は、前記支点から最も離れたその端部が、前記方向指針の前記長手方向軸を横断する方向に、実質的にフラットな面になるよう切断されている、方向指示器が提供される。
【手続補正２】
【補正対象書類名】明細書
【補正対象項目名】００１１
【補正方法】削除
【補正の内容】
【手続補正３】
【補正対象書類名】図面
【補正対象項目名】図４ｇ
【補正方法】削除
【補正の内容】
【手続補正４】
【補正対象書類名】図面
【補正対象項目名】図４ｈ
【補正方法】削除
【補正の内容】
【手続補正５】
【補正対象書類名】図面
【補正対象項目名】図４ｉ
【補正方法】削除
【補正の内容】
【手続補正書】
【提出日】平成22年6月8日(2010.6.8)
【手続補正１】
【補正対象書類名】特許請求の範囲
【補正対象項目名】全文
【補正方法】変更
【補正の内容】
【特許請求の範囲】
【請求項１】
溶融した非鉄の金属および合金の空気に曝したときの酸化を妨げるための、少なくとも１種のフルオロオレフィンを含むカバーガス組成物。
【請求項２】
（ａ）表面を有する溶融非鉄金属を供給するステップと、
（ｂ）前記表面を、気体のフルオロオレフィン組成物の層に曝すステップと
を含む、空気に曝される溶融非鉄金属の酸化を妨げる方法。
【請求項３】
表面に保護膜を有する非鉄反応性金属を含む溶融金属組成物であって、前記膜が前記金属とフルオロオレフィン組成物との間の反応により形成され、前記膜が前記金属の酸化を妨げる、溶融金属組成物。